【手続補正書】
【提出日】平成19年2月5日(2007.2.5)
【手続補正１】
【補正対象書類名】特許請求の範囲
【補正対象項目名】全文
【補正方法】変更
【補正の内容】
【特許請求の範囲】
【請求項１】
流体を外部装置に供給する容器の供給部に、前記容器との間でシール状態を確保するとともに、前記外部装置の供給針と嵌合する弁座と、バネによって常時弁座側に押圧される弁体とを設けてなる弁構造体の製造方法において、
供給部にバネと弁体と弁座とを組み付けた後、供給部の上流側と下流側との間に圧力差を設けて、弁座と容器及び弁体とのシール性の確認を行うことを特徴とする弁構造体の製造方法。
【請求項２】
前記シール性の確認が、供給部の下流側を加圧又は減圧して行われる請求項１に記載の弁構造体の製造方法。
【請求項３】
前記シール性の確認が、供給部の上流側を加圧又は減圧して行われる請求項１に記載の弁構造体の製造方法。
【請求項４】
流体を外部装置に供給する容器の供給部に、前記容器との間でシールを確保するとともに、前記外部装置の供給針と嵌合する弁座と、バネによって常時弁座側に押圧される弁体とを設けてなる弁構造体の製造方法において、
容器にバネと弁体と弁座とを組み付けた後に、容器内部に流体を入れ、供給部の下流側への前記流体の漏洩の有無によって、弁座と容器及び弁体とのシール性の確認を行うことを特徴とした弁構造体の製造方法。
【請求項５】
流体を外部装置に供給する容器の供給部に、前記容器との間でシールを確保するとともに、前記外部装置の供給針と嵌合する弁座と、バネによって常時弁座側に押圧される弁体とを設けてなる弁構造体の製造方法において、
容器にバネと弁体と弁座とを組み付けた後に、容器の流体注入孔から容器内部に流体を充填し、容器内部を減圧して、容器の流体注入孔をフィルムで封止した後に、フィルムの変形によって弁座と容器及び弁体とのシール性の確認を行うことを特徴とした弁構造体の製造方法。
【請求項６】
流体を外部装置に供給する容器の供給部に、前記容器との間でシールを確保するとともに、前記外部装置の供給針と嵌合する弁座と、バネによって常時弁座側に押圧される弁体とを設けてなる弁構造体の製造方法において、
容器にバネと弁体と弁座とを組み付けた後に、容器の流体注入孔から容器内部に流体を充填し、容器の流体注入孔をフィルムで封止した後に、容器内部を減圧し、フィルムの変形によって弁座と容器及び弁体とのシール性の確認を行うことを特徴とした弁構造体の製造方法。
【請求項７】
前記流体がインクであり、前記容器がインクカートリッジである請求項１乃至請求項６の何れかに記載の弁構造体の製造方法。
【手続補正２】
【補正対象書類名】明細書
【補正対象項目名】０００６
【補正方法】変更
【補正の内容】
【０００６】
上記課題を解決するために、本発明の第１の態様の発明は、流体を外部装置に供給する容器の供給部に、外部装置の供給針と嵌合する弁座と、バネによって常時弁座側に押圧される弁体とを設けてなる弁構造体の製造方法において、供給部にバネと弁体とを挿入した後、弁体を弁座に対する着座位置よりも前進しない位置に配置した状態で、弁座を供給部に挿入させるものである。
【手続補正３】
【補正対象書類名】明細書
【補正対象項目名】０００８
【補正方法】変更
【補正の内容】
【０００８】
本発明の第２の態様の発明は、本発明の第１の態様の弁構造体の製造方法において、弁体を弁座に対する着座位置から後退した位置に配置して弁座を供給部に挿入させるものである。従って、より確実に弁体を弁座に着座できるので、弁体と弁座との間のシール性をより確実に確保することができる。
【手続補正４】
【補正対象書類名】明細書
【補正対象項目名】０００９
【補正方法】変更
【補正の内容】
【０００９】
本発明の第３の態様の発明は、第１の態様又は第２の態様に記載の弁構造体の製造方法において、前記弁座が、自身と前記容器との間をシールするものである。従って、弁座自身が容器との間のシール性を確保するので、容器と弁体との間をシールする部材を別に設けずとも、高いシール性が得られる。
【手続補正５】
【補正対象書類名】明細書
【補正対象項目名】００１０
【補正方法】変更
【補正の内容】
【００１０】
本発明の第４の態様の発明は、第１の態様乃至第３の態様の何れかの弁構造体の製造方法において、前記弁体のシール面を吸着して搬送し、前記供給部に挿入させるものである。従って、弁体を取り付ける際に、搬送手段は弁体の直径分のスペースを有するだけでよく、弁体を取り付ける供給部として搬送手段のための余分なスペースを設ける必要がなく、供給部を小さくすることができる。
【手続補正６】
【補正対象書類名】明細書
【補正対象項目名】００１１
【補正方法】変更
【補正の内容】
【００１１】
本発明の第５の態様の発明は、第４の態様の弁構造体の製造方法において、弁体の吸着における吸着部材の接触領域が、シール面のシール領域から外れたところにあるものである。従って、シール領域が損傷しないので、良好なシール性を確保できる。
【手続補正７】
【補正対象書類名】明細書
【補正対象項目名】００１２
【補正方法】変更
【補正の内容】
【００１２】
本発明の第６の態様の発明は、第１の態様乃至第５の態様の何れかに記載の弁構造体の製造方法において、前記弁座が略円筒形状を呈し、その中心の孔に軸状治具の先端部を嵌合して、その状態で弁座を搬送して、前記供給部に挿入するものである。
【手続補正８】
【補正対象書類名】明細書
【補正対象項目名】００１４
【補正方法】変更
【補正の内容】
【００１４】
本発明の第７の態様の発明は、第１の態様１乃至第５の態様の何れかに記載の弁構造体の製造方法において、軸状治具で前記弁座を保持し、軸状治具の先端部にて弁体を着座位置から後退するように押圧するものである。
【手続補正９】
【補正対象書類名】明細書
【補正対象項目名】００１５
【補正方法】変更
【補正の内容】
【００１５】
従って、弁座を挿入する際に、容易に弁体を押圧することができるとともに、軸状治具は弁体のシール領域を押圧することがないため、良好なシール性を確保できる。また、この第２の軸状治具を、第４の態様の第１の軸状治具と同じものとすれば、弁座を搬送して挿入する製造工程を一連の工程として行うことができる。
【手続補正１０】
【補正対象書類名】明細書
【補正対象項目名】００１６
【補正方法】変更
【補正の内容】
【００１６】
本発明の第８の態様の発明は、流体を外部装置に供給する容器の供給部に、外部装置の供給針と嵌合し、弾性材料でなる弁座と、バネによって常時弁座側に押圧される弁体とを設けてなる弁構造体の製造方法において、供給部にバネと弁体とを挿入した後に弁座を挿入し、この弁座の複数位置を順に挿入方向に押圧するものである。従って、弁座を押圧したときに、弁座全体が傾いて供給部に挿入された場合であっても、弁座の複数位置を順に挿入方向に押圧することで、その傾きが補正されて、供給部にほぼ水平状態で挿入される。
【手続補正１１】
【補正対象書類名】明細書
【補正対象項目名】００１７
【補正方法】変更
【補正の内容】
【００１７】
本発明の第９態様の発明は、第８の態様の発明において、前記弁座の複数位置を順に挿入方向に押圧することに代えて、前記弁座の上面の一部分を押圧するとともに、その押圧位置を移動させるようにしたものである。従って、弁座を押圧したときに、弁座全体が傾いて供給部に挿入された場合であっても、上面の一部分を押圧するとともに、その押圧位置を移動させることで、その傾きが補正されて、供給部にほぼ水平状態で挿入される。
【手続補正１２】
【補正対象書類名】明細書
【補正対象項目名】００１８
【補正方法】変更
【補正の内容】
【００１８】
本発明の第１０の態様の発明は、第９の態様の発明において、前記押圧位置の移動が連続的に行われるようにしたものである。従って、その傾きがより均一に補正されることができる。
【手続補正１３】
【補正対象書類名】明細書
【補正対象項目名】００１９
【補正方法】変更
【補正の内容】
【００１９】
本発明の第１１の態様の発明は、流体を外部装置に供給する容器の供給部に、前記容器との間でシール状態を確保するとともに、前記外部装置の供給針と嵌合する弁座と、バネによって常時弁座側に押圧される弁体とを設けてなる弁構造体の製造方法において、供給部にバネと弁体と弁座とを組み付けた後、供給部の上流側と下流側との間に圧力差を設けて、弁座と容器及び弁体とのシール性の確認を行うものである。従って、ほぼ確実に、かつ容易に、シール性の確認を行うことができる。
【手続補正１４】
【補正対象書類名】明細書
【補正対象項目名】００２０
【補正方法】変更
【補正の内容】
【００２０】
本発明の第１２の態様の発明は、第１１の態様の弁構造体の製造方法において、前記シール性の確認が、供給部の下流側を加圧又は減圧して行われるものである。
【手続補正１５】
【補正対象書類名】明細書
【補正対象項目名】００２１
【補正方法】変更
【補正の内容】
【００２１】
本発明の第１３の態様の発明は、第１１の態様の弁構造体の製造方法において、前記シール性の確認が、供給部の上流側を加圧又は減圧して行われるものである。
【手続補正１６】
【補正対象書類名】明細書
【補正対象項目名】００２２
【補正方法】変更
【補正の内容】
【００２２】
本発明の第１４の態様の発明は、流体を外部装置に供給する容器の供給部に、前記容器との間でシールを確保するとともに、前記外部装置の供給針と嵌合する弁座と、バネによって常時弁座側に押圧される弁体とを設けてなる弁構造体の製造方法において、容器にバネと弁体と弁座とを組み付けた後に、容器内部に流体を入れ、供給部の下流側への前記流体の漏洩の有無によって、弁座と容器及び弁体とのシール性の確認を行うものである。従って、ほぼ程度に、かつ容易に、シール性の確認を行うことができる。
【手続補正１７】
【補正対象書類名】明細書
【補正対象項目名】００２３
【補正方法】変更
【補正の内容】
【００２３】
本発明の第１５の態様の発明は、流体を外部装置に供給する容器の供給部に、前記容器との間でシールを確保するとともに、前記外部装置の供給針と嵌合する弁座と、バネによって常時弁座側に押圧される弁体とを設けてなる弁構造体の製造方法において、容器にバネと弁体と弁座とを組み付けた後に、容器の流体注入孔から容器内部に流体を充填し、容器内部を減圧して、容器の流体注入孔をフィルムで封止した後に、フィルムの変形によって弁座と容器及び弁体とのシール性の確認を行うものである。従って、ほぼ確実に、かつ容易に、シール性の確認を行うことができる。特に、容器の外表面に変形部分が現出するために、シール性の確認をレーザ光等を用いて正確かつ迅速に行うことが可能になる。
【手続補正１８】
【補正対象書類名】明細書
【補正対象項目名】００２４
【補正方法】変更
【補正の内容】
【００２４】
本発明の第１６の態様の発明は、流体を外部装置に供給する容器の供給部に、前記容器との間でシールを確保するとともに、前記外部装置の供給針と嵌合する弁座と、バネによって常時弁座側に押圧される弁体とを設けてなる弁構造体の製造方法において、容器にバネと弁体と弁座とを組み付けた後に、容器の流体注入孔から容器内部に流体を充填し、容器の流体注入孔をフィルムで封止した後に、容器内部を減圧し、フィルムの変形によって弁座と容器及び弁体とのシール性の確認を行うものである。従って、ほぼ確実に、かつ容易に、シール性の確認を行うことができる。特に、容器の外表面に変形部分が現出するために、シール性の確認をレーザ光等を用いて正確かつ迅速に行うことが可能になる。
【手続補正１９】
【補正対象書類名】明細書
【補正対象項目名】００２５
【補正方法】変更
【補正の内容】
【００２５】
本発明の第１７の態様の発明は、第１の態様乃至第１６の態様の何れかに記載の弁構造体の製造方法において、前記流体がインクであり、前記容器がインクカートリッジであるものである。
【手続補正２０】
【補正対象書類名】明細書
【補正対象項目名】００２８
【補正方法】変更
【補正の内容】
【００２８】
第１の態様の発明によれば、弁体を押圧するので、より容易にかつより確実に、弁体を押圧することができる。また、弁座が弁体と接触せずに、弁座を挿入できるので、弁体は、その傾きに追従せずに、軸方向にのみ移動して弁座に正座する。従って、弁座には、軸線方向以外にほとんど力が加わることがなく弁座に着座できるので、弁体と弁座との間のシール性を確保した弁構造体を製造することができる。
【手続補正２１】
【補正対象書類名】明細書
【補正対象項目名】００２９
【補正方法】変更
【補正の内容】
【００２９】
第２の態様の発明によれば、より確実に弁体を弁座に着座できるので、弁体と弁座との間のシールをより確実に行うことができる。
【手続補正２２】
【補正対象書類名】明細書
【補正対象項目名】００３０
【補正方法】変更
【補正の内容】
【００３０】
第３の態様の発明によれば、シール性を向上させることができるので、容器と弁体との間をシールする部材を別に設けずとも、高いシール性が得られる弁構造体を製造することができる。
【手続補正２３】
【補正対象書類名】明細書
【補正対象項目名】００３１
【補正方法】変更
【補正の内容】
【００３１】
第４の態様の発明によれば、弁体を取り付ける際に、搬送手段は弁体の直径分のスペースを有するだけでよく、弁体を取り付ける供給部として搬送手段のための余分スペースを設ける必要がなく、供給部を小さくすることができる。
【手続補正２４】
【補正対象書類名】明細書
【補正対象項目名】００３２
【補正方法】変更
【補正の内容】
【００３２】
第５の態様の発明によれば、シール領域が損傷しないので、良好なシール性を確保することができる。
【手続補正２５】
【補正対象書類名】明細書
【補正対象項目名】００３３
【補正方法】変更
【補正の内容】
【００３３】
第６の態様の発明によれば、弁体が着座する弁座の座部及び容器とシールをなす弁座の外周部が、搬送のために他の部材と接触しないので、それら座部及び外周部が傷つくことがない。従って、シール性の低下を防止することができ、シール性を向上させた弁構造体を製造することができる。
【手続補正２６】
【補正対象書類名】明細書
【補正対象項目名】００３４
【補正方法】変更
【補正の内容】
【００３４】
第７の態様の発明によれば、弁座を挿入する際に、容易に弁体を押圧することができるとともに、軸状治具は弁体のシール領域を押圧することがないため、良好なシール性を確保できる。また、この軸状治具を、第６の態様の軸状治具と同じものとすれば、弁座を搬送して挿入する製造工程を一連の工程として行うことができる。従って、シール性を向上させた弁構造体を製造しても、その製造時間が余分にかかる必要がない。
【手続補正２７】
【補正対象書類名】明細書
【補正対象項目名】００３５
【補正方法】変更
【補正の内容】
【００３５】
第８の態様乃至第１０の態様の発明によれば、弁座を押圧したときに、弁座全体が傾いて供給部に挿入された場合であっても、弁座の複数位置を順に連続的に押圧すること又は弁座の上面の一部分を押圧するとともに、その押圧位置を移動させることで、その傾きが補正されて、供給部にほぼ水平で挿入された状態になる。そのため、弁体を押圧しながら弁座が供給部に挿入されても、弁体は、ほとんど傾かず、弁座にしっかりと着座する。従って、弁体と弁座との間のシール性を向上させた弁構造体を製造することができる。
【手続補正２８】
【補正対象書類名】明細書
【補正対象項目名】００３６
【補正方法】変更
【補正の内容】
【００３６】
第１１の態様乃至第１６の態様の発明によれば、ほぼ確実に、かつ容易に、シール性の確認を行うことができる。
【手続補正２９】
【補正対象書類名】明細書
【補正対象項目名】００３７
【補正方法】変更
【補正の内容】
【００３７】
第１７の態様の発明によれば、本発明を適用すると、特にその効果が有効に得られる。